(57)【要約】      （修正有）【課題】作業者が作業を行うときはリストバンドを装着し確実にアース接続させるリストバンド装着忘れ防止装置を提供する。【解決手段】装置筐体２と、装置筐体２に組み込まれ、人体に帯電した静電気をアースして除去するリストバンド８から引き出されたアース用配線１１の先端のプラグ１２を着脱するソケット１３と、ソケット１３の端子を接地接続するアース線２１を備えたコネクタユニット１４と、作業機器５に供給する電源６をオンオフするスイッチ３と、リストバンド８のプラグ１２をソケット１３に接続した際のコネクタユニット１４の押し込み移動に応じてスイッチ３をオンするスイッチ制御機構４とを備え、プラグ１２をソケット１３に接続することでスイッチ３がオンし作業機器５に電源６が供給される。【選択図】図１
0003156326.tif 000002
【実用新案登録請求の範囲】
【請求項１】
装置筐体と、
前記装置筐体に組み込まれ、人体に帯電した静電気をアースして除去するリストバンドから引き出されたアース用配線の先端のプラグを着脱するソケットと、前記ソケットの端子を接地接続するアース線を備えたコネクタユニットと、
作業機器に供給する電源をオンオフするスイッチと、
前記リストバンドのプラグを前記ソケットに接続した際の前記コネクタユニットの押し込み移動に応じて前記スイッチをオンするスイッチ制御機構と、
を備えたことを特徴とするリストバンド装着忘れ防止装置。
【請求項２】
請求項１記載のリストバンド装着忘れ防止装置に於いて、スイッチ制御機構は、
前記コネクタユニットを前記プラグの差し込み方向及び抜き方向にスライド可能に支持するガイドと、
前記コネクタユニットの前記差し込み方向の終端位置を規定する差し込み方向ストッパーと、
前記コネクタユニットの前記抜き方向の終端位置を規定する抜き方向ストッパーと、
前記コネクタユニットを前記抜き方向に付勢するバネと、
前記スイッチを押圧してオンする前記コネクタユニットに設けた押圧部と、
前記プラグを前記ソケットに差し込むことで前記コネクタユニットを前記スイッチのオン位置で係止し、前記プラグを前記ソケットから抜くことで係止が解除される係止部と、
を備えたことを特徴とするリストバンド装着忘れ防止装置。
【考案の詳細な説明】
【技術分野】
【０００１】
本考案は、手首に装着し人体に帯電した静電気をアースすることで除去するリストバンドの装着忘れを防止するリストバンド装着忘れ防止装置に関する。
【背景技術】
【０００２】
従来、静電気により破壊や劣化が生じる恐れのある電子回路を有する機器を扱う場合、一般的に作業者はリストバンド型の人体アース具を装着する。このリストバンドは、人体に接触させる導電部をアース線に接続し、人体に蓄積した静電気をアースして人体を帯電させないようにする構造になっている。
【０００３】
また、単にリストバンドをアース線に接続する方法の他に、リストバンドの未装着やアース線の断線及び結線不良などを感知して警報を発する監視装置を付加したもの、例えば、リストバンドにアース不良やショートを感知して作動する警報具を備えたチェック機構を有するもの（実用新案登録文献１参照）、リストバンドを装着したときに開閉するスイッチを備え、未装着や断線の警報を発するもの（実用新案登録文献２参照）、接地電極の接地検出手段を備え、接地が検出されない場合に異常を表示するもの（実用新案登録文献３参照）、リストバンドが装着され導体部が人体に接触している場合の電気的な安定状態と未装着や接地線の断線時の電気的に不安定状態を表示器に出力するもの（実用新案登録文献４参照）等が提案されている。
【先行技術文献】
【特許文献】
【０００４】
【特許文献１】特開昭６２−２５６４００号公報
【特許文献２】実開昭６３−９９６９９号公報
【特許文献３】特開昭６３−１９５９９９号公報
【特許文献４】実公平５−３２９５７号公報
【考案の概要】
【考案が解決しようとする課題】
【０００５】
しかしながら、このようなリストバンドの未装着等を警告する従来の装置においては、作業者が作業前にリストバンドを確実に装着し、且つ、監視装置の電源を入れなければ監視は行われず、作業者がリストバンドを装着していない場合や、リストバンドを装着していても電源を入れ忘れたときに作業を行ってしまったり、意図せずに誤って機器に触ってしまったりすることが考えられ、その際に機器に悪影響を及ぼしてしまう恐れがある。
【０００６】
本考案は、このような従来の問題点に鑑みてなされたもので、作業者が作業を行うときはリストバンドを装着し、確実にアース接続させるリストバンド装着忘れ防止装置を提供することを目的とする。
【課題を解決するための手段】
【０００７】
この目的を達成するため本考案は次のように構成する。まず本考案は、装置筐体と、装置筐体に組み込まれ、人体に帯電した静電気をアースして除去するリストバンドから引き出されたアース用配線の先端のプラグを着脱するソケットと、ソケットの端子を接地接続するアース線を備えたコネクタユニットと、作業機器に供給する電源をオンオフするスイッチと、リストバンドのプラグをソケットに接続した際のコネクタユニットの押し込み移動に応じてスイッチをオンするスイッチ制御機構とを備えたことを特徴とする。
【０００８】
このように、作業者は作業を開始する前にリストバンドのプラグを装置本体のソケットに差し込まないと作業機器に電源が供給されず、作業機器は作動しないため作業を行えない。作業を行うにはプラグをソケットに差し込まなければならず、これによりリストバンドは必ずアースされ作業機器の静電気に対する保護が確実にできる。
【０００９】
ここでスイッチ制御機構は、コネクタユニットをプラグの差し込み方向及び抜き方向に支持しスライド可能にするガイドと、コネクタユニットの差し込み方向の終端位置を規定する差し込み方向ストッパーと、コネクタユニットの抜き方向の終端位置を規定する抜き方向ストッパーと、コネクタユニットを抜き方向に付勢するバネと、スイッチを押圧してオンするコネクタユニットに設けた押圧部と、プラグをソケットに差し込むことでコネクタユニットをスイッチのオン位置で係止し、プラグをソケットから抜くことで係止が解除される係止部とを備える。
【００１０】
このように、全て機械的且つ簡単な部品で構成されているため、信頼性の高い装置が作成でき、低コストで目的を達成する事ができる。
【考案の効果】
【００１１】
本考案によれば、作業者は作業を開始する前にリストバンドのプラグを装置本体のソケットに差し込まないと作業機器に電源が供給されないため、作業を行う際には必ずリストバンドを装着しなければならず、作業機器の静電気に対する保護が確実にできる。
【図面の簡単な説明】
【００１２】
【図１】本考案のリストバンド装着忘れ防止装置の全体構成
【図２】作業をしている状態のリストバンド装着忘れ防止装置
【考案を実施するための形態】
【００１３】
図１は本考案のリストバンド装着忘れ防止装置の実施形態を示した全体的な装置構成である。
【００１４】
図１において、リストバンド装着忘れ防止装置１は作業機器５とその電源６を繋ぐ電源ライン７に接続され、手首にリストバンド８を装着した作業者の近傍に設置される。リストバンド８は導電部９を備えたバンド部１０と、導電部９に繋がれたアース用配線１１と、アース用配線１１の先端に取付けられたプラグ１２で構成される。
【００１５】
リストバンド８は通常手首に装着されるが、導電部９が皮膚に接触すれば手首以外の人体の一部に装着してもよい。導電部９は、導電性のプラスチック等でも可能であるが、金属が好ましい。
【００１６】
バンド部１０は、図示例では伸縮性を有することで作業者の手首に導電部９が密着して装着できるが、伸縮性が無く長さ調整機能が備わっている構造でも構わない。また、バンド部１０自体は導電性が無くとも構わないが有している方が好ましい。
【００１７】
導電部９からは先端にプラグ１２を有するアース用配線１１が引き出されている。これにより、人体に帯電した静電気が導電部９を介してアース用配線１１によってアースに逃がすことができる。
【００１８】
リストバンド装着忘れ防止装置１は、装置筐体２と、装置筐体２に内蔵されるプラグ１２を差し込むソケット１３を備えたコネクタユニット１４と、コネクタユニット１４がプラグ１２の抜き方向Ｐ及び差し込み方向Ｓにスライドできるように支持するガイド１５ａ〜１５ｄと、コネクタユニット１４を抜き方向Ｐに付勢するバネ１６と、コネクタユニット１４を差し込み方向Ｓの終端近傍で係止する係止部１７と、作業機器５に供給される電源６をオンオフするスイッチ３で構成される。
【００１９】
コネクタユニット１４には、コネクタユニット１４を抜き方向Ｐの終端に停止させる抜き方向ストッパー１８及び差し込み方向Ｓの終端に停止させる差し込み方向ストッパー１９と、スイッチ３をオンオフさせる押圧部２０と、リストバンド８からの静電気を逃がすアース線２１を備える。
【００２０】
コネクタユニット１４の内部にはソケット１３の図示しない端子とアース線２１の中間に図示しない電流制限抵抗が接続されている。これは人体保護用であり一般的に１ＭΩの抵抗が使用される。
【００２１】
ガイド１５ａ〜１５ｄは、図示例ではローラーを有しているが、コネクタユニット１４をスライド可能に支持できればローラーの無いピンでもそれ以外の形状でも構わない。また、抜き方向ストッパー１８及び差し込み方向ストッパー１９はガイド１５ａに当接して停止するが、ガイド１５ａを利用せずに専用の部材を設けても構わない。
【００２２】
バネ１６は抜き方向ストッパー１８の先端部と装置筐体２の間に掛けられ、コネクタユニット１４を抜き方向Ｐに付勢している。係止部１７は装置筐体２に固定されたラッチ２２を有する板バネ２３と、コネクタユニット１４の板バネ２３側の側面に設けられラッチ２２に係合可能な溝部２４で構成され、板バネ２３はラッチ２２をコネクタユニット１４の方向に付勢している。
【００２３】
次に、図１及び２によって動作を説明する。図１は作業者が作業機器５による作業をしていない状態で、プラグ１２はソケット１３に差し込まれておらず、リストバンド８はアース線２１に接続されていない。コネクタユニット１４はバネ１６により抜き方向Ｐに付勢されており、抜き方向ストッパー１８がガイド１５ａに当接し抜き方向Ｐの終端に停止している。
【００２４】
この状態では押圧部２０はスイッチ３から離れた位置にあるため、スイッチ３はオフに保持され、作業機器５に電源６は供給されない。
【００２５】
作業者が作業機器５を使用する場合はリストバンド８を手首に装着しプラグ１２をソケット１３に差し込むことで、導電部９がアース線２１に接続される。プラグ１２を差し込むとき、作業者のプラグ１２を押す力がバネ１６の付勢よりも強くなるとコネクタユニット１４は差し込み方向Ｓに押し込まれ、押圧部２０がスイッチ３をオンさせる。コネクタユニット１４が差し込み方向Ｓの終端で差し込み方向ストッパー１９がガイド１５ａに当接し停止すると、プラグ１２はソケット１３に保持される。
【００２６】
図２は作業者が作業機器５による作業をしている状態のリストバンド装着忘れ防止装置の構成図である。図２に示すように、作業者がプラグ１２をソケットに差し込む動作を終えプラグ１２から手を離すと、コネクタユニット１４はバネ１６の付勢により抜き方向Ｐに戻ろうとするが、ラッチ２２が溝部２４に係止され差し込み方向Ｓの終端近傍でコネクタユニット１４を保持するため、押圧部２０がスイッチ３を押圧しオンの状態に保持する事で作業機器５に電源６が供給される。
【００２７】
作業機器５に電源６が供給されることで作業者は作業が可能であり、また、この状態ではリストバンド８は確実にアースされているので、作業機器５は作業者からの静電気による破壊や劣化は起こらない。
【００２８】
作業を終え作業機器５を停止する場合は、プラグ１２を抜き方向Ｐに引くことでコネクタユニット１４がスライドし係止部１７が解除され、抜き方向ストッパー１８がガイド１５ａに当接しコネクタユニット１４が停止する。更にプラグ１２を引くとプラグ１２はソケット１３から抜け、導電部９とアース線２１の接続は絶たれる。
【００２９】
なお、プラグ１２を抜き方向Ｐに引き、抜き方向ストッパー１８がガイド１５ａに当接しコネクタユニット１４が停止した状態では作業機器５へ電源６は供給されていないが、プラグ１２はソケット１３に差し込まれておりリストバンド８はアースされている。
【００３０】
作業機器５を一時的に停止する場合はこの状態を保てばよく、作業を再開するときにはプラグ１２を差し込み方向Ｓに押込む事でスイッチ３がオンし作業機器５に電源６が供給される。
【００３１】
また、この機構を成立させるためには、
（１）作業者がプラグ１２を抜き差しする力
（２）プラグ１２をソケット１３に保持する力
（３）係止部１７がコネクタユニット１４を保持する力
（４）バネ１６の付勢力
は、（１）＞（２）＞（３）＞（４）の関係が必要である。
【００３２】
更に、本考案はその目的と利点を損なうことのない適宜の変形を含む。
【符号の説明】
【００３３】
１：リストバンド装着忘れ防止装置
２：装置筐体
３：スイッチ
４：スイッチ制御機構
５：作業機器
６：電源
７：電源ライン
８：リストバンド
９：導電部
１０：バンド部
１１：アース用配線
１２：プラグ
１３：ソケット
１４：コネクタユニット
１５ａ，１５ｂ，１５ｃ，１５ｄ：ガイド
１６：バネ
１７：係止部
１８：抜き方向ストッパー
１９：差し込み方向ストッパー
２０：押圧部
２１：アース線
２２：ラッチ
２３：板バネ
２４：溝部
Ｓ：差し込み方向
Ｐ：抜き方向
【図１】
0003156326.tif 000003
【図２】
0003156326.tif 000004